(57)【要約】      （修正有）【課題】連結又は分離の手順に工夫を凝らして面白味に富んだ知恵の輪を提供する。【解決手段】知恵の輪１は主体２と連結具３との組み合わせからなる。主体２は、内側に突出するＵ形屈曲部２２を少なくとも一つ形成した環状のリング部材２１で構成される。連結具３は、折れ曲がった曲線部４１の両端に対面して挿通輪４２を形成した湾曲部材４と、直線部５１の両端に挿通輪４２をくぐり抜け不可能な大きさの抜止め部５２を形成した棒状部材５とを有し、棒状部材５の直線部５１を湾曲部材４の両方の挿通輪４２に挿通して一体に構成される。そして、主体２のＵ形屈曲部２２に連結具３における湾曲部材４の挿通輪４２を差し込んだ状態で、Ｕ形屈曲部２２の内側に棒状部材５の抜止め部５２をくぐり抜け可能とし、主体２と連結具３とを連結又は分離可能に構成する。【選択図】図１
0003176065.tif 000002
【実用新案登録請求の範囲】
【請求項１】
主体と連結具との組み合わせからなり、
主体は、内側に突出するＵ形屈曲部を少なくとも一つ形成した環状のリング部材で構成され、
連結具は、折れ曲がった曲線部の両端に対面して挿通輪を形成した湾曲部材と、直線部の両端に上記挿通輪をくぐり抜け不可能な大きさの抜止め部を形成した棒状部材とを有し、棒状部材の直線部を湾曲部材の両方の挿通輪に挿通して一体に構成され、
主体のＵ形屈曲部に連結具における湾曲部材の挿通輪を差し込んだ状態で、Ｕ形屈曲部の内側に棒状部材の抜止め部をくぐり抜け可能とし、主体と連結具とを連結又は分離可能に構成した知恵の輪。
【請求項２】
請求項１に記載の知恵の輪は、プラスチック成形品で形成されている知恵の輪。
【請求項３】
請求項１又は２に記載の知恵の輪において、
上記主体は、リング部材が動物等の形に形成され、Ｕ形屈曲部が動物等の足、耳又は口の形の一部により形成されている知恵の輪。
【請求項４】
請求項１〜３のいずれかに記載の知恵の輪において、
上記主体は、宣伝広告のための文字又は商品の外形形状に形成されている知恵の輪。
【考案の詳細な説明】
【技術分野】
【０００１】
本考案は、主体と連結具との組み合わせからなる知恵の輪に関する。
【背景技術】
【０００２】
従来の知恵の輪は、線材をα字状に折り曲げた２つのリングからなり、リング同士を切れ目に沿ってひねることで、２つのリングを連結又は分離するものがある（特許文献１）。
【先行技術文献】
【特許文献】
【０００３】
【特許文献１】実用新案登録第３０３５４１９号公報
【考案の概要】
【考案が解決しようとする課題】
【０００４】
しかしながら、従来の知恵の輪は、２つのリングを連結又は分離するやり方を見つけるのが比較的簡単であるため、幼児以外の者にとっては、すぐに飽きられてしまうものであった。また、リングの形的にはシンプルで特別に興味を引き付けるものでもなかった。
本考案は、以上の事情に鑑みてなされたものであり、連結又は分離の手順に工夫を凝らして面白味に富んだ知恵の輪を提供することを目的とする。
【課題を解決するための手段】
【０００５】
本考案に係る知恵の輪は、
主体と連結具との組み合わせからなり、
主体は、内側に突出するＵ形屈曲部を少なくとも一つ形成した環状のリング部材で構成され、
連結具は、折れ曲がった曲線部の両端に対面して挿通輪を形成した湾曲部材と、直線部の両端に上記挿通輪をくぐり抜け不可能な大きさの抜止め部を形成した棒状部材とを有し、棒状部材の直線部を湾曲部材の両方の挿通輪に挿通して一体に構成され、
主体のＵ形屈曲部に連結具における湾曲部材の挿通輪を差し込んだ状態で、Ｕ形屈曲部の内側に棒状部材の抜止め部をくぐり抜け可能とし、主体と連結具とを連結又は分離可能に構成したものである。
【０００６】
上記構成によれば、主体のＵ形屈曲部に、連結具における湾曲部材の挿通輪を挿入した状態で棒状部材の抜止め部をＵ形屈曲部にくぐり抜けさせることにより、主体と連結具との連結と分離とを行うことができるが、このようなやり方を見つけるには幼児以外の者でも難しい。従って、連結又は分離する面白味に富んだ知恵の輪を得ることができる。
【０００７】
上記知恵の輪は、プラスチック成形品で形成することができ、この場合は、簡単に製造することができ、しかも透明、不透明、各種の色付け等も簡単に行うことができ、需要者に興味を持たせることができる。
【０００８】
上記主体は、リング部材が動物等の形に形成され、Ｕ形屈曲部が動物等の足、耳又は口の形の一部により形成することができ、この場合は、装飾性に富んだアクセサリーとしても使用することができ、幼児のみならず幅広い世代に興味を持たせることができる。また、商品やサービスの販売促進品等としても使用することができ、顧客の興味を引き付けることができる。
【０００９】
上記主体は、宣伝広告のための文字又は商品の外形形状に形成することができ、この場合は、商品又はサービスや、自社の宣伝広告媒体、販売促進品等としても使用することができ、顧客の興味を引き付けることができる。
【考案の効果】
【００１０】
本考案によれば、連結又は分離の手順を見つけるのが難解であり面白味に富んだ知恵の輪が得られる。
【図面の簡単な説明】
【００１１】
【図１】本考案による知恵の輪の連結状態を示す斜視図である。
【図２】本考案による知恵の輪の分離状態を示す斜視図である。
【図３】知恵の輪の連結又は分離のやり方を説明するための説明図である。
【考案を実施するための形態】
【００１２】
以下に、本考案について添付図面を参照しながら説明する。
図１、図２を参照して、知恵の輪１は、主体２と連結具３との組み合わせによって構成されている。
主体２は、動物のうさぎの形を模った環状のリング部材２１で構成されている。このリング部材２１は、内側に突出するＵ形屈曲部２２が形成されており、Ｕ形屈曲部２２は、うさぎの足や耳の形を模る一部分によって形成されている。なお、リング部材２１は、その一部がうさぎ形を模った形状としてもよい。
【００１３】
連結具３は、湾曲部材４と棒状部材５とを繋いで一体に構成されている。湾曲部材４は、略Ｕ字状に折れ曲がった曲線部４１の両端に対面して挿通輪４２が形成されている。棒状部材５は、直線状に延びた直線部５１の両端に抜止め部となる抜止め輪５２が形成されている。抜止め輪５２は、湾曲部材４の挿通輪４２の内径よりも大きい外径を有して、挿通輪４２をくぐり抜け不可能な大きさに形成されている。連結具３は、棒状部材５の直線部５１を湾曲部材４の両方の挿通輪４２に挿通して一体に構成されている。
【００１４】
そして、知恵の輪１は、主体２のリング部材２１に連結具３の湾曲部材４を繋いで連結することによって構成されている。
なお、連結具３における挿通輪４２や抜止め輪５２は、円形の輪形に限らず、楕円形、四角形、三角形等の各種形状の閉じた輪形に形成することができる。また、抜止め輪５２は、輪形に限らず、板状、塊状等に形成してもよい。
【００１５】
この知恵の輪１は、金属線材から形成するものに限らず、プラスチック成形品から形成することができる。知恵の輪１をプラスチック成形品で形成すれば、簡単に大量生産することができ、しかも透明、不透明、各種の色付け等も簡単に行うことができ、需要者に興味を持たせることができる。また、主体２のリング部材２１は、動物形に形成されているので、知恵の輪１として遊びに使用しないときは、装飾性に富んだアクセサリーとしても使用することができ、幼児のみならず幅広い世代に興味を持たせることができる。また、商品やサービスの販売促進品等としても使用することができ、顧客の興味を引き付けることができる。
【００１６】
次に、知恵の輪１の連結と分離のやり方を説明する。
図３を参照して、知恵の輪１の主体２と連結具３を分離する場合は、連結具３における湾曲部材４の挿通輪４２を、主体２のＵ形屈曲部２２に差し込む（図３（ａ））。
そして、連結具３の棒状部材５を移動させて抜止め輪５２をＵ形屈曲部２２の内側にくぐらせる（図３（ｂ）（ｃ））。この後、湾曲部材４の挿通輪４２を主体２のＵ形屈曲部２２から脱出させれば、主体２から連結具３が分離される（図３（ｄ））。
【００１７】
一方、知恵の輪１の主体２と連結具３を連結する場合は、上記分離する場合の手順と逆の手順を行う。すなわち、連結具３における湾曲部材４の挿通輪４２を、主体２のＵ形屈曲部２２に差し込む（図３（ｄ）（ｃ））。そして、連結具３の棒状部材５を移動させて、上記分離した場合と逆方向へ抜止め輪５２をＵ形屈曲部２２の内側にくぐらせる（図３（ｂ）（ａ））。この後、湾曲部材４の挿通輪４２を主体２のＵ形屈曲部２２から脱出させると、連結具３が主体２に連結される。
このような分離又は連結のやり方を見つけるのは幼児以外の者でも比較的難解であり、連結又は分離する面白味に富んだ知恵の輪１を得ることができる。
【００１８】
なお、主体２のリング部材２１は、その全体又は一部がうさぎ以外の他の動物（人も含む。）の形を模ったものでもよく、また、リング部材２１のＵ形屈曲部２２は、足や耳以外に例えば口の形を模ったものでもよい。そして、十二支等の動物や様々な人形を模って正月飾や縁起物飾り等としても使用することができ、幅広い世代に興味を持たせることができる。
また、主体２のリング部材２１の全体又は一部を宣伝広告のための文字又は商品の外形形状を模ったものとしてもよく、商品やサービスの販売促進品としても使用して顧客の興味を強く引き付けることができる。
さらに、リング部材２１は、動物以外にも植物等の生き物等、その他の種々の形状を模ったものとしてもよい。
【符号の説明】
【００１９】
１  知恵の輪
２  主体
３  連結具
４  湾曲部材
５  棒状部材
２１  リング部材
２２  Ｕ形屈曲部
４１  曲線部
４２  挿通輪
５１  直線部
５２  抜止め輪（抜止め部）
【図１】
0003176065.tif 000003
【図２】
0003176065.tif 000004
【図３】
0003176065.tif 000005